(57)【特許請求の範囲】
【請求項１】
１または複数の通信方式が使用可能であるデータ送信端末であって、
ユーザからのデータ送信指示、および自端末からのデータを送信する送信先端末の端末情報を受け付ける入力受付手段と、
前記入力受付手段で前記送信先端末の端末情報を前記ユーザから受け付けた場合に、所定範囲内に存在して前記自端末と通信可能な送信先候補端末を検索し、検索された送信先候補端末の端末情報および当該送信先候補端末で利用可能な通信方式を取得し、また、前記入力受付手段で前記送信先端末の端末情報を前記ユーザから受け付けなかった場合に、前記所定範囲において、前記自端末と通信可能な送信先候補端末を検索し、検索された送信先候補端末の端末情報、当該送信先候補端末と当該自端末との位置関係情報、および当該送信先候補端末で利用可能な通信方式を取得する送信先候補検出手段と、
前記入力受付手段で前記送信先端末の端末情報を前記ユーザから受け付けた場合に、当該端末情報と前記送信先候補検出手段で取得した端末情報とに基づいて、前記送信先端末を特定する送信先特定手段と、
前記入力受付手段で前記送信先端末の端末情報をユーザから受け付けなかった場合に、前記送信先候補検出手段で取得した位置関係情報に基づいて、前記自端末および前記検索された送信先候補端末の位置関係図を生成する位置関係図生成手段と、
前記位置関係図生成手段で生成された位置関係図を表示する表示手段と、
前記送信先特定手段で送信先端末が特定された場合に、当該送信先端末について前記送信先候補検出手段で取得された利用可能な通信方式により、当該送信先端末にデータを送信し、また、前記表示手段に前記位置関係図が表示された場合に、当該位置関係図に基づいて前記ユーザが選択した送信先候補端末について前記送信先候補検出手段で取得された利用可能な通信方式により、当該送信先候補端末にデータを送信する送信手段と、
を備えることを特徴とするデータ送信端末。
【請求項２】
前記送信先候補検出手段が、前記入力受付手段で前記送信先端末の端末情報を前記ユーザから受け付けなかった場合に、前記自端末と通信可能な１以上または複数の送信先候補端末を検索し、
前記送信手段が、前記表示手段に前記位置関係図が表示された場合に、当該位置関係図に基づいて前記ユーザが選択した１または複数の送信先候補端末に対し、各送信先候補端末で利用可能な通信方式により、データを送信することを特徴とする請求項１に記載のデータ送信端末。
【請求項３】
１または複数の通信方式が使用可能であるデータ送信端末、および当該データ送信端末がデータを送信する送信先端末と当該データ送信端末との間にあってデータの送信受信を行うエージェントを備えたデータ送信システムであって、
前記データ送信端末は、
ユーザからデータの送信指示および前記送信先端末の端末情報を受け付ける入力受付手段と、
前記入力受付手段で送信指示を受け付けたデータを、または、当該入力受付手段で前記送信先端末の端末情報を受け付けた場合には当該端末情報を併せて前記エージェントに送信する第１の送信手段を備え、
前記エージェントは、
前記送信先端末の端末情報を前記データ送信端末から受け付けた場合に、所定範囲内に存在して自端末と通信可能な送信先候補端末を検索し、検索された送信先候補端末の端末情報および当該送信先候補端末で利用可能な通信方式を取得し、また、前記送信先端末の端末情報を前記データ送信端末から受け付けなかった場合に、前記所定範囲において、前記自端末と通信可能な送信先候補端末を検索し、検索された送信先候補端末の端末情報、当該送信先候補端末と当該自端末との位置関係情報、および当該送信先候補端末で利用可能な通信方式を取得する送信先候補検出手段と、
前記送信先端末の端末情報を前記データ送信端末から受け付けた場合に、当該端末情報と前記送信先候補検出手段で取得した端末情報とに基づいて、前記送信先端末を特定する送信先特定手段と、
前記送信先端末の端末情報を前記データ送信端末から受け付けなかった場合に、前記送信先候補検出手段で取得した位置関係情報に基づいて、前記自端末および前記検索された送信先候補端末の位置関係図を生成する位置関係図生成手段と、
前記位置関係図生成手段で生成された位置関係図を表示する表示手段と、
前記送信先特定手段で送信先端末が特定された場合に、当該送信先端末について前記送信先候補検出手段で取得された利用可能な通信方式により、前記データ送信端末から受信したデータを当該送信先端末に送信し、また、前記表示手段に前記位置関係図が表示された場合に、当該位置関係図に基づいて前記ユーザが選択した送信先候補端末について前記送信先候補検出手段で取得された利用可能な通信方式により、前記データ送信端末から受信したデータを当該送信先候補端末にデータを送信する第２の送信手段と、
を備えることを特徴とするデータ送信システム。
【請求項４】
１または複数の通信方式が使用可能であって、入力受付手段、送信先候補検出手段、送信先特定手段、位置関係図生成手段、表示手段、および送信手段を備えたデータ送信端末におけるデータ送信方法であって、
前記入力受付手段が、ユーザからのデータ送信指示、および自端末からのデータを送信する送信先端末の端末情報を受け付ける第１のステップと、
前記送信先候補検出手段が、前記第１のステップで前記送信先端末の端末情報を前記ユーザから受け付けた場合に、所定範囲内に存在して前記自端末と通信可能な送信先候補端末を検索し、検索された送信先候補端末の端末情報および当該送信先候補端末で利用可能な通信方式を取得し、また、前記第１のステップで前記送信先端末の端末情報を前記ユーザから受け付けなかった場合に、前記所定範囲において、前記自端末と通信可能な送信先候補端末を検索し、検索された送信先候補端末の端末情報、当該送信先候補端末と当該自端末との位置関係情報、および当該送信先候補端末で利用可能な通信方式を取得する第２のステップと、
前記送信先特定手段が、前記第１のステップで前記送信先端末の端末情報を前記ユーザから受け付けた場合に、当該端末情報と前記第２のステップで取得した端末情報とに基づいて、前記送信先端末を特定する第３のステップと、
前記位置関係図生成手段が、前記第１のステップで前記送信先端末の端末情報を前記ユーザから受け付けなかった場合に、前記第２のステップで取得した位置関係情報に基づいて、前記自端末および前記検索された送信先候補端末の位置関係図を生成する第４のステップと、
前記表示手段が、前記第４のステップで生成された位置関係図を表示する第５のステップと、
前記送信手段が、前記第３のステップで送信先端末が特定された場合に、当該送信先端末について前記第２のステップで取得された利用可能な通信方式により、当該送信先端末にデータを送信し、また、前記第５のステップで前記表示手段に前記位置関係図が表示された場合に、当該位置関係図に基づいて前記ユーザが選択した送信先候補端末について前記第２のステップで取得された利用可能な通信方式により、当該送信先候補端末にデータを送信する第６のステップと、
を有することを特徴とするデータ送信方法。
【請求項５】
１または複数の通信方式が使用可能であって、入力受付手段、送信先候補検出手段、送信先特定手段、位置関係図生成手段、表示手段、および送信手段を備えたデータ送信端末におけるデータ送信方法を実行させるためのプログラムであって、
前記入力受付手段が、ユーザからのデータ送信指示、および自端末からのデータを送信する送信先端末の端末情報を受け付ける第１のステップと、
前記送信先候補検出手段が、前記第１のステップで前記送信先端末の端末情報を前記ユーザから受け付けた場合に、所定範囲内に存在して前記自端末と通信可能な送信先候補端末を検索し、検索された送信先候補端末の端末情報および当該送信先候補端末で利用可能な通信方式を取得し、また、前記第１のステップで前記送信先端末の端末情報を前記ユーザから受け付けなかった場合に、前記所定範囲において、前記自端末と通信可能な送信先候補端末を検索し、検索された送信先候補端末の端末情報、当該送信先候補端末と当該自端末との位置関係情報、および当該送信先候補端末で利用可能な通信方式を取得する第２のステップと、
前記送信先特定手段が、前記第１のステップで前記送信先端末の端末情報を前記ユーザから受け付けた場合に、当該端末情報と前記第２のステップで取得した端末情報とに基づいて、前記送信先端末を特定する第３のステップと、
前記位置関係図生成手段が、前記第１のステップで前記送信先端末の端末情報を前記ユーザから受け付けなかった場合に、前記第２のステップで取得した位置関係情報に基づいて、前記自端末および前記検索された送信先候補端末の位置関係図を生成する第４のステップと、
前記表示手段が、前記第４のステップで生成された位置関係図を表示する第５のステップと、
前記送信手段が、前記第３のステップで送信先端末が特定された場合に、当該送信先端末について前記第２のステップで取得された利用可能な通信方式により、当該送信先端末にデータを送信し、また、前記第５のステップで前記表示手段に前記位置関係図が表示された場合に、当該位置関係図に基づいて前記ユーザが選択した送信先候補端末について前記第２のステップで取得された利用可能な通信方式により、当該送信先候補端末にデータを送信する第６のステップと、
をコンピュータに実行させるためのプログラム。
【発明の詳細な説明】
【技術分野】
【０００１】
本発明は、データ送信における直感的なインターフェースを提供するデータ送信システム、データ送信端末、データ送信方法、およびプログラムに関する。
【背景技術】
【０００２】
従来、近距離にある携帯電話機等の端末間においてデータを送受信する場合には、ユーザが通信方法を選択し、起動しなければならなかった。例えば、赤外線通信を用いる場合には、データを選択し、端末の赤外線通信機能を起動する。そして、自己の端末と相手の端末とを向かい合わせることによりデータの送受信を行う（非特許文献１参照）。なお、データの選択の前に端末の赤外線通信機能を起動することもできる。また、Ｂｌｕｅｔｏｏｔｈ（登録商標）を用いる場合には、データを選択し、端末のＢｌｕｅｔｏｏｔｈ機能を起動する。そして、通信圏内にあるＢｌｕｅｔｏｏｔｈ対応の端末を検出し、検出された端末の中から送りたい端末を指定してデータの送受信を行う（非特許文献２参照）。なお、データの選択の前に端末のＢｌｕｅｔｏｏｔｈ機能を起動することもできる。
【先行技術文献】
【非特許文献】
【０００３】
【非特許文献１】ｈｔｔｐ：／／ｗｗｗ．ａｕ．ｋｄｄｉ．ｃｏｍ／ｔｏｒｉｓｅｔｓｕ／ｐｄｆ／ａ１４０７ｐｔ／ａ１４０７ｐｔ＿ｔｏｒｉｓｅｔｓｕ＿１０．ｐｄｆ［２０１２年２月２９日検索］
【非特許文献２】ｈｔｔｐ：／／ｗｗｗ．ｅｖｅｒｇ．ｃｏ．ｊｐ／ｓｕｐｐｏｒｔ／ｓｔｅｐ３ｂｌｕｅｔｏｏｔｈ／ＡｂｏｕｔＢＴ．ｐｄｆ［２０１２年２月２９日検索］
【発明の概要】
【発明が解決しようとする課題】
【０００４】
しかしながら、上述したように、従来は端末間においてデータの送受信を行う場合にはユーザが通信方式を設定しなければならず、また、この人（この端末）にこのデータを送るという動作の中に通信方式の選択が含まれるために、ユーザが直感的に操作できるようなインターフェースでなかった。そのため、ユーザにとって使いづらいという問題点があった。また、ユーザが選択した通信方式が、データの送受信に適した通信方式であるとは限らないという問題点もあった。
【０００５】
そこで、本発明は上述の課題に鑑みてなされたものであり、この人に（この端末）に、このデータを送信するという入力によりデータを送信することができる直感的なインターフェースを実現するデータ送信システム、データ送信端末、データ送信方法、およびプログラムを提供することを目的とする。また、データの送信に適した通信方式によりデータを送信することができることを目的とする。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）  本発明は、１または複数の通信方式が使用可能であるデータ送信端末であって、ユーザからのデータ送信指示、および自端末からのデータを送信する送信先端末の端末情報を受け付ける入力受付手段（例えば、図１の入力受付部１１）と、前記入力受付手段で前記送信先端末の端末情報を前記ユーザから受け付けた場合に、所定範囲内に存在して前記自端末と通信可能な送信先候補端末を検索し、検索された送信先候補端末の端末情報および当該送信先候補端末で利用可能な通信方式を取得し、また、前記入力受付手段で前記送信先端末の端末情報を前記ユーザから受け付けなかった場合に、前記所定範囲において、前記自端末と通信可能な送信先候補端末を検索し、検索された送信先候補端末の端末情報、当該送信先候補端末と当該自端末との位置関係情報、および当該送信先候補端末で利用可能な通信方式を取得する送信先候補検出手段（例えば、図１の送信先候補検出部１２）と、前記入力受付手段で前記送信先端末の端末情報を前記ユーザから受け付けた場合に、当該端末情報と前記送信先候補検出手段で取得した端末情報とに基づいて、前記送信先端末を特定する送信先特定手段（例えば、図１の送信先特定部１３）と、前記入力受付手段で前記送信先端末の端末情報をユーザから受け付けなかった場合に、前記送信先候補検出手段で取得した位置関係情報に基づいて、前記自端末および前記検索された送信先候補端末の位置関係図を生成する位置関係図生成手段（例えば、図１の位置関係図生成部１４）と、前記位置関係図生成手段で生成された位置関係図を表示する表示手段と、前記送信先特定手段で送信先端末が特定された場合に、当該送信先端末について前記送信先候補検出手段で取得された利用可能な通信方式により、当該送信先端末にデータを送信し、また、前記表示手段に前記位置関係図が表示された場合に、当該位置関係図に基づいて前記ユーザが選択した送信先候補端末について前記送信先候補検出手段で取得された利用可能な通信方式により、当該送信先候補端末にデータを送信する送信手段（例えば、図１の送信部１５）と、を備えることを特徴とするデータ送信端末を提案している。
【０００８】
この発明によれば、入力受付手段は、ユーザからのデータ送信指示、および自端末からのデータを送信する送信先端末の端末情報を受け付ける。送信先候補検出手段は、入力受付手段で送信先端末の端末情報をユーザから受け付けた場合に、所定範囲内に存在して自端末と通信可能な送信先候補端末を検索し、検索された送信先候補端末の端末情報および送信先候補端末で利用可能な通信方式を取得し、また、入力受付手段で送信先端末の端末情報をユーザから受け付けなかった場合に、所定範囲において、自端末と通信可能な送信先候補端末を検索し、検索された送信先候補端末の端末情報、送信先候補端末と自端末との位置関係情報、および送信先候補端末で利用可能な通信方式を取得する。送信先特定手段は、入力受付手段で送信先端末の端末情報をユーザから受け付けた場合に、端末情報と送信先候補検出手段で取得した端末情報とに基づいて、送信先端末を特定する。位置関係図生成手段は、入力受付手段で送信先端末の端末情報をユーザから受け付けなかった場合に、送信先候補検出手段で取得した位置関係情報に基づいて、自端末および検索された送信先候補端末の位置関係図を生成する。表示手段は、位置関係図生成手段で生成された位置関係図を表示する。送信手段は、送信先特定手段で送信先端末が特定された場合に、送信先端末について送信先候補検出手段で取得された利用可能な通信方式により、送信先端末にデータを送信し、また、表示手段に位置関係図が表示された場合に、位置関係図に基づいてユーザが選択した送信先候補端末について送信先候補検出手段で取得された利用可能な通信方式により、送信先候補端末にデータを送信する。したがって、ユーザは、送信するデータおよび送信先端末の情報を入力することによりデータが送信でき、また、送信したいデータを入力すると、送信可能な送信先端末が検索され、その中からユーザが選択した送信先端末にデータを送信することができる。それにより、この人に（この端末）にこのデータを送信するという入力によってデータ送信ができ、また、人（端末）を入力しなくとも送信するデータの入力後に、人（端末）の位置を示す位置関係図からデータを送信したい相手を容易に選択することでデータ送信ができる、直感的なインターフェースを実現することができる。
【０００９】
（２）  本発明は、（１）のデータ送信端末について、前記送信先候補検出手段が、前記入力受付手段で前記送信先端末の端末情報を前記ユーザから受け付けなかった場合に、前記自端末と通信可能な１以上または複数の送信先候補端末を検索し、前記送信手段が、前記表示手段に前記位置関係図が表示された場合に、当該位置関係図に基づいて前記ユーザが選択した１または複数の送信先候補端末に対し、各送信先候補端末で利用可能な通信方式により、データを送信することを特徴とするデータ送信端末を提案している。
【００１０】
この発明によれば、送信先候補検出手段は、入力受付手段で送信先端末の端末情報をユーザから受け付けなかった場合に、自端末と通信可能な１以上または複数の送信先候補端末を検索する。送信手段は、表示手段に位置関係図が表示された場合に、位置関係図に基づいてユーザが選択した１または複数の送信先候補端末に対し、各送信先候補端末で利用可能な通信方式により、データを送信する。したがって、１回のデータ送信操作により、複数の端末にデータを送信することができる。
【００１１】
（３）  本発明は、１または複数の通信方式が使用可能であるデータ送信端末、および当該データ送信端末がデータを送信する送信先端末と当該データ送信端末との間にあってデータの送信受信を行うエージェントを備えたデータ送信システムであって、前記データ送信端末は、ユーザからデータの送信指示および前記送信先端末の端末情報を受け付ける入力受付手段（例えば、図３の入力受付部１１）と、前記入力受付手段で送信指示を受け付けたデータを、または、当該入力受付手段で前記送信先端末の端末情報を受け付けた場合には当該端末情報を併せて前記エージェントに送信する第１の送信手段（例えば、図３の送信部２１０）を備え、前記エージェントは、前記送信先端末の端末情報を前記データ送信端末から受け付けた場合に、所定範囲内に存在して自端末と通信可能な送信先候補端末を検索し、検索された送信先候補端末の端末情報および当該送信先候補端末で利用可能な通信方式を取得し、また、前記送信先端末の端末情報を前記データ送信端末から受け付けなかった場合に、前記所定範囲において、前記自端末と通信可能な送信先候補端末を検索し、検索された送信先候補端末の端末情報、当該送信先候補端末と当該自端末との位置関係情報、および当該送信先候補端末で利用可能な通信方式を取得する送信先候補検出手段（例えば、図３の送信先候補検出部３１０）と、前記送信先端末の端末情報を前記データ送信端末から受け付けた場合に、当該端末情報と前記送信先候補検出手段で取得した端末情報とに基づいて、前記送信先端末を特定する送信先特定手段（例えば、図３の送信先特定部３２０）と、前記送信先端末の端末情報を前記データ送信端末から受け付けなかった場合に、前記送信先候補検出手段で取得した位置関係情報に基づいて、前記自端末および前記検索された送信先候補端末の位置関係図を生成する位置関係図生成手段と、前記位置関係図生成手段で生成された位置関係図を表示する表示手段と、前記送信先特定手段で送信先端末が特定された場合に、当該送信先端末について前記送信先候補検出手段で取得された利用可能な通信方式により、前記データ送信端末から受信したデータを当該送信先端末に送信し、また、前記表示手段に前記位置関係図が表示された場合に、当該位置関係図に基づいて前記ユーザが選択した送信先候補端末について前記送信先候補検出手段で取得された利用可能な通信方式により、前記データ送信端末から受信したデータを当該送信先候補端末にデータを送信する第２の送信手段（例えば、図３の送信部３３０）と、を備えることを特徴とするデータ送信システムを提案している。
【００１２】
この発明によれば、入力受付手段は、ユーザからデータの送信指示および送信先端末の端末情報を受け付ける。第１の送信手段は、入力受付手段で送信指示を受け付けたデータを、または、入力受付手段で送信先端末の端末情報を受け付けた場合には端末情報を併せてエージェントに送信する。送信先候補検出手段は、送信先端末の端末情報をデータ送信端末から受け付けた場合に、所定範囲内に存在して自端末と通信可能な送信先候補端末を検索し、検索された送信先候補端末の端末情報および送信先候補端末で利用可能な通信方式を取得し、また、送信先端末の端末情報をデータ送信端末から受け付けなかった場合に、所定範囲において、自端末と通信可能な送信先候補端末を検索し、検索された送信先候補端末の端末情報、送信先候補端末と自端末との位置関係情報、および送信先候補端末で利用可能な通信方式を取得する。送信先特定手段は、送信先端末の端末情報をデータ送信端末から受け付けた場合に、端末情報と送信先候補検出手段で取得した端末情報とに基づいて、送信先端末を特定する。位置関係図生成手段は、送信先端末の端末情報をデータ送信端末から受け付けなかった場合に、送信先候補検出手段で取得した位置関係情報に基づいて、自端末および検索された送信先候補端末の位置関係図を生成する。表示手段は、位置関係図生成手段で生成された位置関係図を表示する。第２の送信手段は、送信先特定手段で送信先端末が特定された場合に、送信先端末について送信先候補検出手段で取得された利用可能な通信方式により、データ送信端末から受信したデータを送信先端末に送信し、また、表示手段に位置関係図が表示された場合に、位置関係図に基づいてユーザが選択した送信先候補端末について送信先候補検出手段で取得された利用可能な通信方式により、データ送信端末から受信したデータを送信先候補端末にデータを送信する。したがって、従来の端末に新たな機能を追加せずに、この人に（この端末）にこのデータを送信するという入力によってデータ送信ができ、また、人（端末）を入力しなくとも送信するデータの入力後に、人（端末）の位置を示す位置関係図からデータを送信したい相手を容易に選択することでデータ送信ができる、直感的なインターフェースを実現することができる。また、エージェントを利用することにより、データの送受信可能な範囲を広げることができる。
【００１３】
（４）  本発明は、１または複数の通信方式が使用可能であって、入力受付手段、送信先候補検出手段、送信先特定手段、位置関係図生成手段、表示手段、および送信手段を備えたデータ送信端末におけるデータ送信方法であって、前記入力受付手段が、ユーザからのデータ送信指示、および自端末からのデータを送信する送信先端末の端末情報を受け付ける第１のステップ（例えば、図２のステップＳ１）と、前記送信先候補検出手段が、前記第１のステップで前記送信先端末の端末情報を前記ユーザから受け付けた場合に、所定範囲内に存在して前記自端末と通信可能な送信先候補端末を検索し、検索された送信先候補端末の端末情報および当該送信先候補端末で利用可能な通信方式を取得し、また、前記第１のステップで前記送信先端末の端末情報を前記ユーザから受け付けなかった場合に、前記所定範囲において、前記自端末と通信可能な送信先候補端末を検索し、検索された送信先候補端末の端末情報、当該送信先候補端末と当該自端末との位置関係情報、および当該送信先候補端末で利用可能な通信方式を取得する第２のステップ（例えば、図２のステップＳ２）と、前記送信先特定手段が、前記第１のステップで前記送信先端末の端末情報を前記ユーザから受け付けた場合に、当該端末情報と前記第２のステップで取得した端末情報とに基づいて、前記送信先端末を特定する第３のステップ（例えば、図２のステップＳ３）と、前記位置関係図生成手段が、前記第１のステップで前記送信先端末の端末情報を前記ユーザから受け付けなかった場合に、前記第２のステップで取得した位置関係情報に基づいて、前記自端末および前記検索された送信先候補端末の位置関係図を生成する第４のステップと、前記表示手段が、前記第４のステップで生成された位置関係図を表示する第５のステップと、前記送信手段が、前記第３のステップで送信先端末が特定された場合に、当該送信先端末について前記第２のステップで取得された利用可能な通信方式により、当該送信先端末にデータを送信し、また、前記第５のステップで前記表示手段に前記位置関係図が表示された場合に、当該位置関係図に基づいて前記ユーザが選択した送信先候補端末について前記第２のステップで取得された利用可能な通信方式により、当該送信先候補端末にデータを送信する第６のステップ（例えば、図２のステップＳ４）と、を有することを特徴とするデータ送信方法を提案している。
【００１４】
この発明によれば、まず、第１のステップにおいて、入力受付手段が、ユーザからのデータ送信指示、および自端末からのデータを送信する送信先端末の端末情報を受け付ける。次に、第２のステップにおいて、送信先候補検出手段が、第１のステップで送信先端末の端末情報をユーザから受け付けた場合に、所定範囲内に存在して自端末と通信可能な送信先候補端末を検索し、検索された送信先候補端末の端末情報および送信先候補端末で利用可能な通信方式を取得し、また、第１のステップで送信先端末の端末情報をユーザから受け付けなかった場合に、所定範囲において、自端末と通信可能な送信先候補端末を検索し、検索された送信先候補端末の端末情報、送信先候補端末と自端末との位置関係情報、および送信先候補端末で利用可能な通信方式を取得する。次に、第３のステップにおいて、送信先特定手段が、第１のステップで送信先端末の端末情報をユーザから受け付けた場合に、端末情報と第２のステップで取得した端末情報とに基づいて、送信先端末を特定する。次に、第４のステップにおいて、位置関係図生成手段が、第１のステップで送信先端末の端末情報をユーザから受け付けなかった場合に、第２のステップで取得した位置関係情報に基づいて、自端末および検索された送信先候補端末の位置関係図を生成する。次に、第５のステップにおいて、表示手段が、第４のステップで生成された位置関係図を表示する。そして、第６のステップにおいて、送信手段が、第３のステップで送信先端末が特定された場合に、送信先端末について第２のステップで取得された利用可能な通信方式により、送信先端末にデータを送信し、また、第５のステップで表示手段に位置関係図が表示された場合に、位置関係図に基づいてユーザが選択した送信先候補端末について第２のステップで取得された利用可能な通信方式により、送信先候補端末にデータを送信する。したがって、ユーザは、送信するデータおよび送信先端末の情報を入力することによりデータが送信でき、また、送信したいデータを入力すると、送信可能な送信先端末が検索され、その中からユーザが選択した送信先端末にデータを送信することができる。それにより、この人に（この端末）にこのデータを送信するという入力によってデータ送信ができ、また、人（端末）を入力しなくとも送信するデータの入力後に、人（端末）の位置を示す位置関係図からデータを送信したい相手を容易に選択することでデータ送信ができる、直感的なインターフェースを実現することができる。
【００１５】
（５）  本発明は、１または複数の通信方式が使用可能であって、入力受付手段、送信先候補検出手段、送信先特定手段、位置関係図生成手段、表示手段、および送信手段を備えたデータ送信端末におけるデータ送信方法を実行させるためのプログラムであって、前記入力受付手段が、ユーザからのデータ送信指示、および自端末からのデータを送信する送信先端末の端末情報を受け付ける第１のステップ（例えば、図２のステップＳ１）と、前記送信先候補検出手段が、前記第１のステップで前記送信先端末の端末情報を前記ユーザから受け付けた場合に、所定範囲内に存在して前記自端末と通信可能な送信先候補端末を検索し、検索された送信先候補端末の端末情報および当該送信先候補端末で利用可能な通信方式を取得し、また、前記第１のステップで前記送信先端末の端末情報を前記ユーザから受け付けなかった場合に、前記所定範囲において、前記自端末と通信可能な送信先候補端末を検索し、検索された送信先候補端末の端末情報、当該送信先候補端末と当該自端末との位置関係情報、および当該送信先候補端末で利用可能な通信方式を取得する第２のステップ（例えば、図２のステップＳ２）と、前記送信先特定手段が、前記第１のステップで前記送信先端末の端末情報を前記ユーザから受け付けた場合に、当該端末情報と前記第２のステップで取得した端末情報とに基づいて、前記送信先端末を特定する第３のステップ（例えば、図２のステップＳ３）と、前記位置関係図生成手段が、前記第１のステップで前記送信先端末の端末情報を前記ユーザから受け付けなかった場合に、前記第２のステップで取得した位置関係情報に基づいて、前記自端末および前記検索された送信先候補端末の位置関係図を生成する第４のステップと、前記表示手段が、前記第４のステップで生成された位置関係図を表示する第５のステップと、前記送信手段が、前記第３のステップで送信先端末が特定された場合に、当該送信先端末について前記第２のステップで取得された利用可能な通信方式により、当該送信先端末にデータを送信し、また、前記第５のステップで前記表示手段に前記位置関係図が表示された場合に、当該位置関係図に基づいて前記ユーザが選択した送信先候補端末について前記第２のステップで取得された利用可能な通信方式により、当該送信先候補端末にデータを送信する第６のステップ（例えば、図２のステップＳ４）と、をコンピュータに実行させるためのプログラムを提案している。
【００１６】
この発明によれば、まず、第１のステップにおいて、入力受付手段が、ユーザからのデータ送信指示、および自端末からのデータを送信する送信先端末の端末情報を受け付ける。次に、第２のステップにおいて、送信先候補検出手段が、第１のステップで送信先端末の端末情報をユーザから受け付けた場合に、所定範囲内に存在して自端末と通信可能な送信先候補端末を検索し、検索された送信先候補端末の端末情報および送信先候補端末で利用可能な通信方式を取得し、また、第１のステップで送信先端末の端末情報をユーザから受け付けなかった場合に、所定範囲において、自端末と通信可能な送信先候補端末を検索し、検索された送信先候補端末の端末情報、送信先候補端末と自端末との位置関係情報、および送信先候補端末で利用可能な通信方式を取得する。次に、第３のステップにおいて、送信先特定手段が、第１のステップで送信先端末の端末情報をユーザから受け付けた場合に、端末情報と第２のステップで取得した端末情報とに基づいて、送信先端末を特定する。次に、第４のステップにおいて、位置関係図生成手段が、第１のステップで送信先端末の端末情報をユーザから受け付けなかった場合に、第２のステップで取得した位置関係情報に基づいて、自端末および検索された送信先候補端末の位置関係図を生成する。次に、第５のステップにおいて、表示手段が、第４のステップで生成された位置関係図を表示する。そして、第６のステップにおいて、送信手段が、第３のステップで送信先端末が特定された場合に、送信先端末について第２のステップで取得された利用可能な通信方式により、送信先端末にデータを送信し、また、第５のステップで表示手段に位置関係図が表示された場合に、位置関係図に基づいてユーザが選択した送信先候補端末について第２のステップで取得された利用可能な通信方式により、送信先候補端末にデータを送信する。したがって、ユーザは、送信するデータおよび送信先端末の情報を入力することによりデータが送信でき、また、送信したいデータを入力すると、送信可能な送信先端末が検索され、その中からユーザが選択した送信先端末にデータを送信することができる。それにより、この人に（この端末）にこのデータを送信するという入力によってデータ送信ができ、また、人（端末）を入力しなくとも送信するデータの入力後に、人（端末）の位置を示す位置関係図からデータを送信したい相手を容易に選択することでデータ送信ができる、直感的なインターフェースを実現することができる。
【発明の効果】
【００２７】
本発明によれば、ユーザは、この人に（この端末）に、このデータを送信するという入力、すなわち、送信するデータおよび送信先端末の情報を入力することによりデータを送信できる直感的なインターフェースを実現することができる。また、データの送信に適した通信方式によりデータを送信することができる。
【図面の簡単な説明】
【００２８】
【図１】本発明の第１の実施形態に係るデータ送信端末の構成を示す図である。
【図２】本発明の第１の実施形態に係るデータ送信処理のフロー図である。
【図３】本発明の第２の実施形態に係るデータ送信端末の構成を示す図である。
【図４】本発明の第２の実施形態に係るデータ送信処理のフロー図である。
【発明を実施するための形態】
【００２９】
以下、本発明の実施形態について、図面を用いて、詳細に説明する。なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３０】
＜第１の実施形態＞
図１および図２を用いて、本発明の第１の実施形態に係るデータ送信端末１０について、詳細に説明する。
【００３１】
本実施形態に係るデータ送信端末１０は、他の端末に近距離無線通信にてデータを送信する機能を備えた端末であって、例えば、携帯電話機、スマートフォン等である。図１に示すように、データ送信端末１０は、入力受付部１１、送信先候補検出部１２、送信先特定部１３、位置関係図生成部１４、および送信部１５から構成されている。なお、データ送信端末１０がデータを送信する端末を送信先端末２０とする。
【００３２】
入力受付部１１は、ユーザがタッチパネルといった入力部１６を介して、送信するデータの選択、および選択されたデータの送信指示をユーザから受け付ける。例えば、タッチパネル上に表示されている、画像、映像、音楽、テキスト等のデータのサムネイルやデータ名を長押しすることや、データが表示または再生されている際に、タッチパネル上に表示されている送信指示ボタンを押下することにより、入力受付部１１は、送信するデータの選択および選択されたデータの送信指示を受け付ける。
【００３３】
また、入力受付部１１は、データの送信先端末２０の端末情報を、ユーザから入力部１６を介して受け付ける。ここで、端末情報とは、端末を一意に特定する情報であって、電話番号、メールアドレス、端末の所有者名、デバイス名等である。データ送信端末１０に記憶させている電話帳に端末情報を登録しておき、電話帳から送信先端末２０を選択することにより、入力受付部１１にデータの送信先端末２０の端末情報を渡すことができる。なお、データの選択および選択されたデータの送信指示と、送信先端末２０の端末情報の入力はいずれが先であってもよい。
【００３４】
送信先候補検出部１２は、所定範囲内に存在し、データ送信端末１０と通信可能な送信先候補端末を検索する。例えば、Ｂｌｕｅｔｏｏｔｈ（登録商標）のペアリング機能によって、Ｂｌｕｅｔｏｏｔｈを用いた通信が可能な送信先候補端末を検索する。この場合、所定範囲内、すなわち、検索可能な範囲は、Ｂｌｕｅｔｏｏｔｈの使用において設定されている電波強度のクラスに応じて決まる。すなわち、送信先候補端末を検索する範囲は、Ｃｌａｓｓ１の場合は１００ｍ以内、Ｃｌａｓｓ２の場合は１０ｍ以内、Ｃｌａｓｓ３の場合は１ｍ以内となる。なお、赤外線センサ、ＷｉＦｉ（登録商標）、超音波等の近距離無線通信を用いて送信先候補端末を検索してもよい。
【００３５】
所定範囲は、データ送信端末１０を中心とし、半径を通信方式固有の通信可能距離とした円であってもよいし、データ送信端末１０の姿勢を、加速度センサや磁気センサ等により検出し、検出された姿勢からデータ送信端末１０の向いている方向を推定し、円のうち推定した方向の扇型の部分であってもよい。
【００３６】
送信先候補検出部１２は、検索された送信先候補端末の端末情報、および検索された送信先候補端末で利用可能な通信方式を取得する。なお、送信先候補検出部１２は、端末情報および通信方式とともに、データ送信端末１０と検索された送信先候補端末との位置関係情報を取得してもよい。但し、入力受付部１１で、送信先端末２０の端末情報を受け付けなかった場合には、送信先候補検出部１２は位置関係情報を必ず取得する。ここで、位置関係情報には、データ送信端末１０を中心とした送信先候補端末の存在する方向および距離が含まれる。
【００３７】
送信先特定部１３は、入力受付部１１で受け付けた送信端末の端末情報と、送信先候補検出部１２で取得された送信先候補端末の端末情報とに基づいて、送信先候補検出部１２で検索された送信先候補端末の中から送信先端末２０を特定する。
【００３８】
位置関係図生成部１４は、入力受付部１１で、送信先端末２０の端末情報を受け付けなかった場合に、送信先候補検出部１２で取得した位置関係情報に基づいて、データ送信端末１０および検索された送信先候補端末の位置関係図を生成する。生成された位置関係図は、データ送信端末１０のディスプレイといった表示部１７に表示され、ユーザは、データを送信したい送信先端末２０を位置関係図において選択することにより、送信先端末２０を決定することができる。
【００３９】
送信部１５は、送信先特定部１３で特定された送信先端末２０について送信先候補検出部１２で検出した利用可能な通信方式により、送信先端末２０にデータを送信する。複数の通信方式が検出されている場合には、ユーザに検出された通信方式を提示してユーザがデータを送信する通信方式を決定してもよいし、あらかじめ設定された優先順位や、送信するデータの属性情報、例えば、データのサイズや種類によって決定してもよい。また、送信先候補検出部１２で位置関係情報を取得している場合には、データ送信端末１０と送信先端末２０との距離に基づいて、データを送信する通信方式を決定してもよい。
【００４０】
また、送信部１５は、表示部１７に表示された位置関係図から送信先端末２０が選択された場合には、選択された送信先端末２０について送信先候補検出部１２で取得した通信方式により、送信先端末２０にデータを送信する。なお、複数の通信方式が検出された場合の通信方式の決定方法については、送信先特定部１３で特定された送信先端末２０にデータを送信する場合と同様である。
【００４１】
＜情報送信システムの処理フロー＞
図２を用いて、第１の実施形態に係るデータ送信処理について説明する。
【００４２】
まず、ステップＳ１において、入力受付部１１は、入力部１６を介して、ユーザにより選択されたデータの送信指示およびデータの送信先端末２０の端末情報を、ユーザから受け付ける。
【００４３】
次に、ステップＳ２において、送信先候補検出部１２は、所定範囲内に存在し、データ送信端末１０と通信可能な送信先候補端末を検索し、検索された送信先候補端末の端末情報、および検索された送信先候補端末で利用可能な通信方式を取得する。
【００４４】
次に、ステップＳ３において、送信先特定部１３は、ステップＳ１で受け付けた送信端末の端末情報と、ステップＳ２で取得された送信先候補端末の端末情報とに基づいて、ステップＳ２で検索された送信先候補端末の中から送信先端末２０を特定する。
【００４５】
次に、ステップＳ４において、送信部１５は、ステップＳ３で特定された送信先端末２０について、ステップＳ２で検出した利用可能な通信方式により、送信先端末２０にデータを送信する。
【００４６】
したがって、本実施形態によれば、ユーザは、この人に（この端末）に、このデータを送信するという入力、すなわち、送信するデータおよび送信先端末２０の情報を入力することによりデータを送信できる直感的なインターフェースを実現することができる。また、データの送信に適した通信方式によりデータを送信することができる。
【００４７】
＜第２の実施形態＞
以下、図３および図４を用いて、本発明の第２の実施形態について説明する。本実施形態では、エージェントを介して端末間のデータの送受信を行う。これにより、従来の端末に新たな機能を追加せずに、データ送信における直感的なインターフェースを実現することができる。また、エージェントを利用することにより、データの送受信可能な範囲を広げることができる。
【００４８】
＜データ送信システム構成＞
本実施形態に係る情報送信システム１００は、図３に示すように、送信先端末２０、データ送信端末２００、およびエージェント３００から構成されている。なお、第１の実施形態と同一の符号を付した構成要素については、同一の機能を有するため、その詳細な説明は省略する。
【００４９】
送信先端末２０は、エージェント３００を介してデータ送信端末２００からデータを受信する。なお、送信先端末２０はデータ送信端末２００になることもできる。
【００５０】
データ送信端末２００は、図３に示すように、入力受付部１１、および送信部２１０から構成されている。
【００５１】
送信部２１０は、入力受付部１１で受け付けた、ユーザにより選択されたデータ、および選択されたデータの送信指示をエージェント３００に送信する。また、送信部２１０は、入力受付部１１でデータを送信する送信先端末２０の端末情報も受け付けた場合には、送信先端末２０の端末情報もエージェント３００に送信する。
【００５２】
エージェント３００は、ユーザの身の回りにある物であって、例えば、机、ＴＶ、ＰＣ、携帯電話機やスマートフォン、携帯電話機やスマートフォンのアダプタ、バス停、デジタルサイネージ、電子黒板である。エージェント３００は、図３に示すように、送信先候補検出部３１０、送信先特定部３２０、および送信部３３０を備える。
【００５３】
送信先候補検出部３１０は、所定範囲内に存在し、エージェント３００と通信可能な送信先候補端末を検索する。検索方法および検索範囲については、上述した第１の実施形態と同様である。また、送信先候補検出部３１０は、検索された送信先候補端末の端末情報、および検索された送信先候補端末で利用可能な通信方式を取得する。なお、送信先候補検出部３１０は、端末情報および通信方式とともに、データ送信端末２００と検索された送信先候補端末との位置関係情報を取得してもよい。また、データ送信端末２００で、送信先端末２０の端末情報を受け付けなかった場合には、送信先候補検出部３１０は、第１の実施形態と同様に、取得した送信先候補端末の位置関係情報から送信先候補端末の位置関係図を作成し、作成した位置関係図をデータ送信端末２００の表示部１７に表示することによって、ユーザに送信先端末２０を選択させることができる。
【００５４】
送信先特定部３２０は、データ送信端末２００から受け付けた送信先端末２０の端末情報と、送信先候補検出部３１０で取得された送信先候補端末の端末情報とに基づいて、送信先候補検出部３１０で検索された送信先候補端末の中から送信先端末２０を特定する。
【００５５】
送信部３３０は、送信先特定部３２０で特定された送信先端末２０について、送信先候補検出部３１０で検出した利用可能な通信方式により、送信先端末２０にデータを送信する。複数の通信方式が検出されている場合の通信方式の決定方法については、上述した第１の実施形態と同様である。また、送信先候補検出部３１０で位置関係情報を取得している場合には、データ送信端末２００と送信先端末２０との距離に基づいて、データを送信する通信方式を決定してもよい。
【００５６】
＜情報送信システムの処理フロー＞
図４を用いて、第２の実施形態に係るデータ送信処理について説明する。
【００５７】
まず、ステップＳ１１において、入力受付部１１は、入力部１６を介して、ユーザにより選択されたデータの送信指示およびデータの送信先端末２０の端末情報を、ユーザから受け付ける。
【００５８】
次に、ステップＳ１２において、送信部２１０は、ステップＳ１１で受け付けた、ユーザにより選択されたデータの送信指示およびデータの送信先端末２０の端末情報を、エージェント３００に送信する。
【００５９】
次に、ステップＳ１３において、送信先候補検出部３１０は、所定範囲内に存在し、エージェント３００と通信可能な送信先候補端末を検索し、検索された送信先候補端末の端末情報、および検索された送信先候補端末で利用可能な通信方式を取得する。
【００６０】
次に、ステップＳ１４において、送信先特定部３２０は、データ送信端末２００から受信した送信端末の端末情報と、ステップＳ１３で取得された送信先候補端末の端末情報とに基づいて、ステップＳ１３で検索された送信先候補端末の中から送信先端末２０を特定する。
【００６１】
次に、ステップＳ１５において、送信部３４０は、ステップＳ１４で特定された送信先端末２０に、ステップＳ１３で検出した利用可能な通信方式によりデータを送信する。
【００６２】
したがって、本実施形態によれば、従来の端末に新たな機能を追加せずに、ユーザが送信するデータおよび送信先端末２０の情報を入力することによりデータが送信できる直感的なインターフェースを実現することができる。また、エージェントを利用することにより、データの送受信可能な範囲を広げることができる。
【００６３】
なお、データ送信端末の処理をコンピュータ読み取り可能な記録媒体に記録し、この記録媒体に記録されたプログラムをデータ送信端末に読み込ませ、実行することによって本発明のデータ送信端末を実現することができる。ここでいうコンピュータシステムとは、ＯＳや周辺装置等のハードウェアを含む。
【００６４】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６５】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００６６】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６７】
１０    データ送信端末
１１    入力受付部
１２    送信先候補検出部
１３    送信先特定部
１４    位置関係部生成部
１５    送信部
１６    入力部
１７    表示部
２０    送信先端末
【図１】
0005905757.tif 000002
【図２】
0005905757.tif 000003
【図３】
0005905757.tif 000004
【図４】
0005905757.tif 000005